(57)【要約】      （修正有）【課題】授乳者のプライバシーが保護された状態で授乳を行うことができる授乳用空間が形成された授乳エリアを簡易に設置できると共に、授乳用空間のレイアウトの変更を容易にできる授乳用ユニットを提供する。【解決手段】授乳用ユニット１は、内部に空間が形成された箱状の筐体４と、筐体に形成された開口状の出入口１４と、出入口に設けられ、閉状態のときに出入口を塞ぎ、筐体の内部空間を遮蔽するドア８と、筐体の内部空間に設けられ、授乳者が着座可能な１つの一人着座用の椅子と、筐体を移動可能とするキャスター３６と、を備える。【選択図】図１
0003215367.tif 000002
【実用新案登録請求の範囲】
【請求項１】
内部に空間が形成された箱状の筐体と、
前記筐体に形成された開口状の出入口と、
前記出入口に設けられ、閉状態のときに前記出入口を塞ぎ、前記筐体の内部の空間を遮蔽するドアと、
前記筐体の内部の空間に設けられ、授乳者が着座可能な１つの一人着座用の椅子と、
前記筐体を移動させるキャスターと、
を備えることを特徴とする授乳用ユニット。
【請求項２】
前記筐体は、正面、前記筐体を正面視したときに前記正面に対して左側に位置する左側面、および、前記筐体を正面視したときに前記正面に対して右側に位置する右側面を有し、
前記出入口を、前記正面の右側に寄った位置、または、左側に寄った位置に形成し、
前記出入口を前記正面の右側に寄った位置に形成した場合は、前記椅子を、前記左側面の内側に背もたれを沿わせた状態で、前記筐体の内部の空間の左端部に設け、
前記出入口を前記筐体の正面の左側に寄った位置に形成した場合は、前記椅子を、前記右側面の内側に背もたれを沿わせた状態で、前記筐体の内部の空間の右端部に設けたことを特徴とする請求項１に記載の授乳用ユニット。
【請求項３】
前記筐体の内部の空間の左端部に前記椅子を設けた場合は、表示パネルを、前記右側面の内側に設け、
前記筐体の内部の空間の右端部に前記椅子を設けた場合は、前記表示パネルを、前記左側面の内側に設けたことを特徴とする請求項２に記載の授乳用ユニット。
【請求項４】
前記椅子に着座する授乳者が向く方向を椅子前方とし、前記椅子前方に向かって右方向を椅子右方向とし、前記椅子前方に向かって左方向を椅子左方向とした場合に、
前記椅子の前記椅子右方向または前記椅子左方向に、前記筐体の面のうち、前記椅子の椅子右方向の面または前記椅子の前記椅子左方向の面に接するテーブルを設け、
前記テーブルの上面に、前記表示パネルの表示の操作を行うためのタッチ式操作パネルを設けたことを特徴とする請求項３に記載の授乳用ユニット。
【請求項５】
前記テーブルの上面の先端が、前記椅子の座面の前記椅子前方の端を超えて延在する構成とし、
前記テーブルの上面の前記椅子前方側の端部に、前記タッチ式操作パネルを設けたことを特徴とする請求項４に記載の授乳用ユニット。
【請求項６】
前記テーブルの上面の先端が、前記椅子の座面の前記椅子前方の端を超えて延在する構成とし、
前記テーブルの上面において、前記椅子の座面の前記椅子前方側の端に対応する位置に、前記タッチ式操作パネルを設けたことを特徴とする請求項４に記載の授乳用ユニット。
【請求項７】
前記椅子に着座する授乳者が向く方向を椅子前方とし、前記椅子前方に向かって右方向を椅子右方向とし、前記椅子前方に向かって左方向を椅子左方向とした場合に、
前記椅子の前記椅子右方向または前記椅子左方向に、前記筐体の面のうち、前記椅子の椅子右方向の面または前記椅子の前記椅子左方向の面に接する第１テーブルを設けたことを特徴とする請求項２に記載の授乳用ユニット。
【請求項８】
前記椅子右方向に前記第１テーブルを設けた場合は、前記椅子の前記椅子前方の前記椅子左方向寄りに第２テーブルを設け、
前記椅子左方向に前記第１テーブルを設けた場合は、前記椅子の前記椅子前方の前記椅子右方向寄りに前記第２テーブルを設けたことを特徴とする請求項７に記載の授乳用ユニット。
【請求項９】
前記第２テーブルを、前記椅子の前記椅子前方の前記椅子左方向寄りに設けた場合は、前記第２テーブルの前記椅子左方向側の端部が、前記筐体の前記椅子左方向側の面に接する構成とし、
前記第２テーブルを、前記椅子の前記椅子前方の前記椅子右方向寄りに設けた場合は、前記第２テーブルの前記椅子右方向側の端部が、前記筐体の前記椅子右方向側の面に接する構成としたことを特徴とする請求項８に記載の授乳用ユニット。
【請求項１０】
前記第１テーブルの上面と、前記第２テーブルの上面との上下方向における位置を同じとしたことを特徴とする請求項８または９に記載の授乳用ユニット。
【請求項１１】
前記第２テーブルを、折り畳み式のテーブルによって構成すると共に、前記第２テーブルを折り畳んだときに、前記第２テーブルの天板が前記筐体の面の内側に沿って延在する構成としたことを特徴とする請求項８から１０のいずれか１項に記載の授乳用ユニット。
【考案の詳細な説明】
【技術分野】
【０００１】
本考案は、授乳者が授乳を行うための授乳用ユニットに関する。
【背景技術】
【０００２】
従来、ショッピングセンター等の店舗や、レストラン等の飲食店、イベント会場等の会場等の様々な施設に授乳エリアが設けられている。授乳エリアとは、授乳を行うことが可能なエリアであり、授乳者は、外出中に、授乳エリアを利用して、授乳を行うことができる。なお、授乳エリアは、部屋等の閉じられた１つの空間である必要は無く、フロアーに設けられた一部の領域であってもよく、解放された空間の一部の領域であってもよい。例えば、授乳エリアは、専用の部屋や、授乳エリアとして区画された専用のエリアに、授乳者が授乳時に着座するための椅子や、授乳の準備に利用するための台が複数設けられることによって構成される。
【０００３】
特許文献１には、当該専用の部屋に複数設けられる授乳用椅子が開示されている。特許文献１の授乳用椅子は、椅子に対してベビーベッドが移動可能に構成されており、椅子に着座する授乳者は、自身の位置に対するベビーベッドの相対的な位置を簡易に移動させることができる。特許文献１によれば、授乳者は、授乳のための準備や、授乳等、作業に応じてベビーベッドの位置を移動させることができ、各作業をスムーズに行うことができる。
【先行技術文献】
【特許文献】
【０００４】
【特許文献１】実用新案第３２０１２８６号公報
【考案の概要】
【考案が解決しようとする課題】
【０００５】
授乳エリアでは、授乳者のプライバシーの保護が問題となる。つまり、授乳に係る作業を他人に見られたくないと思う授乳者も少なからず存在し、このような授乳者の希望をできるだけ充足する必要がある。従来は、専用の部屋や、専用の領域に、ドアによって内部の空間が遮蔽される個室を設けたり、仕切板によって授乳のための空間を仕切った上で、カーテンその他の遮蔽物によって各空間を遮蔽可能に構成したりすることによって、授乳エリア内に、外部から遮蔽された授乳用空間を設け、これにより、授乳者のプライバシーを保護していた。
【０００６】
しかしながら、個室や、仕切板を設けることによって、外部から遮蔽された授乳用空間を授乳エリアに設ける従来の構成の場合、専用の設備が必要となると共に、綿密な設計の下、各設備を適切な位置に固定的に設ける必要があり、授乳エリアの設置の困難性が高かった。また、従来の構成の場合、授乳用空間の増設や、授乳用空間の移動等のレイアウトの変更を行う場合、簡易にできず、その点で課題があった。
【０００７】
本考案は、このような問題を解決するために成されたものであり、授乳者のプライバシーが保護された状態で授乳を行うことができる授乳用空間が形成された授乳エリアを簡易に設置できるようにすると共に、授乳用空間のレイアウトの変更を容易にできるようにすることを目的とする。
【課題を解決するための手段】
【０００８】
上記した課題を解決するために、本考案の授乳用ユニットは、内部に空間が形成された箱状の筐体と、筐体に形成された開口状の出入口と、出入口に設けられ、閉状態のときに出入口を塞ぎ、筐体の内部の空間を遮蔽するドアと、筐体の内部の空間に設けられ、授乳者が着座可能な１つの一人着座用の椅子と、筐体を移動させるキャスターと、を備えている。
【考案の効果】
【０００９】
上記のように構成した本考案によれば、筐体の内部の空間には、授乳者が着座可能な１つの一人着座用の椅子が設けられると共に、ドアを閉状態とすれば、筐体の内部の空間が遮蔽され、外部から筐体の内部が視認できない状態となるため、授乳者は、筐体の内部で、他人に見られることなく、プライバシーが保護された状態で授乳を行うことができる。そして、このような筐体を移動させるキャスターが授乳用ユニットに設けられているため、授乳エリアとなる空間に授乳用ユニットを持ち込み、キャスターを利用して授乳用ユニットを適切な位置に移動させるという作業を行うだけで、授乳用空間が形成された授乳エリアを設置することができる。このため、授乳エリアの設置に際し、綿密な設計の下、各設備を適切な位置に固定的に設ける必要が無く、授乳エリアの設置が簡易化する。さらに、キャスターを利用して授乳用ユニットを移動させるだけで、授乳エリアにおける授乳空間のレイアウトの変更を行うことができるため、授乳用空間のレイアウトの変更を容易に行うことができる。
【図面の簡単な説明】
【００１０】
【図１】本考案の一実施形態に係る授乳用ユニットの斜視図である。
【図２】本考案の一実施形態に係る授乳用ユニットの正面図および右側面図である。
【図３】図２のＡ−Ａ断面図である。
【図４】図２のＢ−Ｂ断面図である。
【図５】図２のＣ−Ｃ断面図である。
【図６】図２のＤ−Ｄ断面図である。
【図７】図２のＥ−Ｅ断面図である。
【図８】図６において、授乳者が椅子に座った様子を模式的に示す図である。
【図９】タッチ式操作パネルの位置の別例を示す図である。
【考案を実施するための形態】
【００１１】
以下、本考案の一実施形態を図面に基づいて説明する。図１は、本実施形態に係る授乳用ユニット１の斜視図である。図２は、授乳用ユニット１の正面図および右側面図である。図２において（Ａ）は正面図を示し、（Ｂ）は右側面図を示している。図３は、図２（Ａ）の正面図のＡ−Ａ断面図である。図４は、図２（Ａ）の正面図のＢ−Ｂ断面図である。図５は、図２（Ｂ）の右側面図のＣ−Ｃ断面図である。図６は、図２（Ｂ）の右側面図のＤ−Ｄ断面図である。図７は、図２（Ａ）の正面図のＥ−Ｅ断面図である。図８は、参考のため、図６のＤ−Ｄ断面図において、授乳者が椅子２に座ったときの様子を示す図である。
【００１２】
授乳用ユニット１は、授乳者が、授乳を必要とする被授乳者に授乳を行うための空間を提供するユニットである。後に詳述するように、授乳者は、授乳用ユニット１を用いて、プライバシーが保護された状態で、落ち着いて授乳を行うことができる。
【００１３】
図１〜７に示すように、授乳用ユニット１は、内部に授乳用空間３（図３〜７）（特許請求の範囲の「空間」に相当）が形成された略直方体の箱状の筐体４（図１〜７）を有する。筐体４は、天面６（図１〜６）と、底面７（図１〜図７）と、ドア８（図１、２、４、５、７）が設けられた正面９（図１〜５、７）と、正面９の裏側に形成された背面１０（図１〜４、６、７）とを有する。以下、図１の矢印で示すように、筐体４の正面９に相対して筐体４を正面視したときに、右に向かう方向を右方向、左に向かう方向を左方向、正面９から背面１０に向かう方向を奥方向、背面１０から正面９に向かう方向を手前方向、底面７から天面６に向かう方向を上方向、天面６から底面７に向かう方向を下方向という。図１〜７に示すように、筐体４は、正面９に対して左方向側に位置する左側面１１（図１〜３、５〜７）、および、正面９に対して右方向側に位置する右側面１２（図１、２、４〜７）を有している。
【００１４】
図１、２、７に示すように、正面９の右半分の領域のほぼ全域には、正面視で長方形の出入口１４が形成されている。出入口１４は、筐体４の授乳用空間３に連通する開口であり、授乳者は、被授乳者と共に、出入口１４を介して、授乳用空間３に進入することができる。筐体４には、出入口１４のほかは、授乳用空間３に連通する開口は形成されていない。出入口１４には、左右方向にスライドし、スライド可能な範囲の右方向の端に至ったときに閉状態となるスライド式のドア８（図１、２、４、５、７）が設けられている。ドア８は、閉状態のときに、出入口１４を完全に塞ぎ、授乳用空間３を遮蔽する。これにより、ドア８が閉状態の場合、筐体４の外部から授乳用空間３を視認することはできない。
【００１５】
図３に示すように、筐体４の奥行きＬ１は約９０センチであり、授乳用空間３の奥行きＬ１’は約８３センチである。また、図３に示すように、筐体４の高さＬ２は約２００センチであり、授乳用空間３の高さＬ２’は約１８０センチである。図５に示すように、筐体の幅Ｌ３は約１８０センチであり、授乳用空間３の幅Ｌ３’は約１５７センチである。このように、筐体４の形状は、高さ、幅に比して、奥行きが小さい薄型の略直方体形状である。奥行きＬ１、Ｌ１’、高さＬ２、Ｌ２’、幅Ｌ３、Ｌ３’は、被授乳者を抱く授乳者が授乳用空間３内の移動や授乳に係る作業等をスムーズに行うことができるようにし、かつ、授乳用ユニット１をできるだけ小型化するという観点の下、定められている。
【００１６】
図２に示すように、出入口１４は、高さＬ４が約１７５センチであり、幅Ｌ５が約７０センチである。このように、出入口１４は、被授乳者を抱く授乳者にとって上下方向および左右方向共に十分に大きく、授乳者は、被授乳者を抱いた状態で、スムーズに出入口１４を介して授乳用空間３に出入りできる。また、出入口１４の下端の地面からの高さは約１０センチである。このように、出入口１４の下端の地面からの高さは、被授乳者を抱く授乳者にとって十分に低く、授乳者は、被授乳者を抱いた状態で、スムーズに出入口１４を介して授乳用空間３に出入りできる。
【００１７】
図３、５〜７に示すように、授乳用空間３には、座面１６と背もたれ１７と椅子脚１８とを有する椅子２が設けられている。椅子２は、授乳者が着座する一人着座用の椅子であり、筐体４内に１つ設けられている。椅子２は、背もたれ１７が左側面１１の内側に沿った状態で、授乳用空間３の左端部に設けられている。従って、図８に示すように、授乳者が椅子２に着座した場合、お腹が右側面１２に対向し、背中が左側面１１に対向した状態で、顔が右方向に向いた状態となる。以下の説明では、図７の矢印で示すように、椅子２を起点として方向を表す場合、椅子２に着座する授乳者が向く方向（本実施形態では、右方向）を椅子前方という。そして、椅子前方に向かって右に向かう方向を椅子右方向といい、椅子前方に向かって左に向かう方向を椅子左方向という。椅子２は、椅子左方向の端部が背面１０の内側に接触した状態で、授乳用空間３に設けられている。
【００１８】
以上の態様で授乳用空間３に椅子が設けられているため、以下の効果を奏する。すなわち、授乳用空間３を右半分の第１空間Ｋ１（図６、７）と、左半分の第２空間Ｋ２（図６、７）とに区分けしたとする。第１空間Ｋ１は、正面９の出入口１４が形成された領域に対応する空間であり、第２空間Ｋ２は、正面９の出入口１４が形成されていない領域に対応する空間である。そして、上記構成によれば、出入口１４に対応する第１空間Ｋ１を、椅子２および椅子２に付随する部材（後述）が存在しない空間とすることができ、授乳者は、椅子２および椅子２に付随する部材に邪魔されることなくスムーズに出入口１４を介して授乳用空間３に進入することができる。また、授乳者は、第１空間Ｋ１を利用して、椅子２に着座するための方向転換や、椅子２に座る前に行うべき授乳の準備（例えば、抱っこ紐で被授乳者を抱っこしている場合に、抱っこ紐をほどく作業）等をスムーズに行うことができる。また、第１空間Ｋ１は、荷物を載置する場所としても利用できる。特に、第１空間Ｋ１は、椅子２等の部材がない空間であるため、比較的大きなサイズの荷物を第１空間Ｋ１に載置することが可能である。例えば、授乳者は、ベビーカーを利用する場合も多いが、第１空間Ｋ１にベビーカーを載置することが可能である。
【００１９】
さらに、密閉された空間に椅子を設ける場合、椅子の座面の前方に、椅子に着座する人間の足を延在させるためのある程度の大きさの空間を確保する必要がある。そして、授乳用空間３の左端部に椅子２を設ける場合、背もたれ１７を背面１０の内側または正面９の内側に沿わせた状態で、椅子２を設けることも可能である。しかしながら、この場合、座面１６の前方にある程度の大きさの空間を確保する必要があるため、筐体４の奥行きＬ１を大きくすることによって、授乳用空間３の奥行きＬ１’を大きくする必要がある。この場合、授乳用ユニット１が大型化してしまう。一方で、椅子２の背もたれ１７が左側面１１の内側に沿った状態で、授乳用空間３の左端部に椅子２を設けることにより、高さＬ２、幅Ｌ３が、奥行きＬ１と比して十分に大きいという筐体４の構造上の特徴を利用して、筐体４を大型化することなく、椅子２の座面１６の前方に授乳者が足を伸ばすことができる十分な空間を確保できる。
【００２０】
図４〜７に示すように、右側面１２の内側には、表示パネル２０が設けられる。表示パネル２０は、液晶表示パネルや、有機ＥＬパネル等の薄型のディスプレイである。右側面１２の内側への表示パネル２０の取り付けについて詳述すると、図４〜７に示すように、右側面１２の左方向側には、右側面１２に沿って延在する板状の仕切板２１（図４〜７）が設けられており、右側面１２と仕切板２１との間には、仕切板２１で仕切られた狭い空間が形成されている。この仕切板２１には、右側面１２に向かって凹んだパネル収容部２２（図５、６）が設けられており、表示パネル２０は、このパネル収容部２２に収容された状態で、固定されている。このような構成のため、仕切板２１から表示パネル２０が突出した状態とならず、表示パネル２０が出入口１４を介して授乳用空間３に進入する授乳者の邪魔となることがなく、また、表示パネル２０に授乳者、その他の物体が接触するのが防止される。
【００２１】
上述したように、本実施形態では、授乳者が椅子２に着座した場合、お腹が右側面１２に対向し、顔が右方向に向いた状態となる（図８参照）。従って、表示パネル２０が右側面１２の内側に設けられることにより、授乳者は、授乳中、椅子２に着座した状態で、表示パネル２０の表示内容を確認することができる。特に、本実施形態では、表示パネル２０の中央部の上下方向における位置は、椅子２に着座する授乳者の目の位置として想定される位置と同じか、少し低い位置とされる。このため、授乳者は、授乳中、自然な体勢でリラックスしながら表示パネル２０を視認することができる。さらに、授乳用空間３において、左端部に椅子２が設けられ、右端部に表示パネル２０が設けられる構成のため、椅子２に着座する授乳者の目の位置と、表示パネル２０との離間距離を十分に確保することができ、表示パネル２０を視認する授乳者の目の負担を軽減できる。
【００２２】
図３、５、７に示すように、椅子２の椅子右方向には、第１テーブル２４が設けられる。第１テーブル２４は、底面７に立設された略直方体のテーブルであり、平らな第１上面２５を有する。第１テーブル２４の第１上面２５は、椅子２の座面１６よりも３０センチ程度高い位置で、正面９の内側に沿って左右方向に延在している。第１上面２５の上下方向の位置は、椅子２に着座する授乳者の肘の位置を少し超える程度の位置とされている。図７に示すように、第１上面２５は、左側面１１を基端として、その先端２５ａが、椅子２の座面１６の椅子前方の先端１６ａを椅子前方側に超えて延在している。このような構成のため、授乳者は、第１テーブル２４の第１上面２５に荷物や、授乳に必要な道具を載置することができ、さらに、椅子２に座った状態で、第１上面２５に載置した物を触ることができる。このため、授乳者は、椅子２に座った状態で、第１テーブル２４の第１上面２５を利用して、哺乳瓶へのミルクの補充や、授乳後の後片付け等、道具を用いた授乳に係る作業を行うことができる。また、図３、７に示すように、第１テーブル２４は、その椅子右方向の端部が、正面９に接した状態で、授乳用空間３に設けられている。このような構成のため、椅子２が、その背もたれ１７が左側面１１に沿った状態、かつ、その椅子左方向側の端部が、背面１０の内側に接触した状態で授乳用空間３の左端部に設けられているという構造的特徴を利用して、筐体４の奥行き方向の大きさが大型化を抑制しつつ、椅子２の椅子右方向に、第１テーブル２４を設けることができる。
【００２３】
また、図７に示すように、第１テーブル２４の第１上面２５には、タッチ式操作パネル２７が設けられる。タッチ式操作パネル２７は、表示パネル２０の表示の操作を行うためのパネルであり、タッチ式操作パネル２７に対するタッチ操作によって各種入力指示を行うことができる。図７に示すように、第１上面２５は、左側面１１を基端として、その先端２５ａが、椅子２の座面１６の椅子前方の先端１６ａを椅子前方側に超えて延在している。その上で、図７に示すように、タッチ式操作パネル２７は、第１テーブル２４の第１上面２５の椅子前方側の端部に近い位置に設けられている。このような構成のため、第１上面２５において、タッチ式操作パネル２７が設けられていない連続する領域を広く確保することができ、第１上面２５に道具を載置したり、載置された道具を扱う授乳者にとって利便性が良い。なお、図９に示すように、タッチ式操作パネル２７を、第１テーブル２４の第１上面２５の椅子前方側の端部に設ける構成でもよい。この構成によれば、第１上面２５において、タッチ式操作パネル２７が設けられていない連続する領域をより広く確保することができ、ユーザの利便性を向上できる。
【００２４】
特に、本実施形態では、図７に示すように、タッチ式操作パネル２７は、第１上面２５において、椅子２の座面１６の椅子前方側の先端１６ａに対応する位置に設けられている。このような構成のため、椅子２に着座する授乳者は、自身の右肘を第１上面２５に載せた状態で、自身の右の手の平をタッチ式操作パネル２７の位置に位置させやすい。このため、授乳者は、椅子２に座ったまま、自然な体勢で、タッチ式操作パネル２７をタッチ操作することができる。特に、授乳のため、被授乳者を膝に載せた状態で椅子２に着座する場合、授乳者は、ほとんど姿勢を変えることができないが、上記構成によれば、授乳者は、被授乳者を膝に載せた状態で、ほとんど姿勢を変えることなく、タッチ式操作パネル２７を操作可能である。
【００２５】
図３、６、７に示すように、椅子２の椅子前方の椅子左方向寄りには、第２テーブル２９が設けられている。より詳細には、第２テーブル２９は、その基端部が、背面１０の内側に取り付けられ、基端部から、手前方向に向かって、３０センチほど水平に延在する天板３０を有しており、天板３０の上面には、第２上面３１が形成されている。図６、７に示すように、第２テーブル２９の第２上面３１の椅子前方と逆側の端部３１ａの左右方向における位置は、椅子２の座面１６の椅子前方の先端１６ａの左右方向における位置とほぼ同じである。また、図３に示すように、第２テーブル２９の第２上面３１の上下方向の位置は、第１テーブル２４の第１上面２５の上下方向の位置とほぼ同じである。
【００２６】
第２テーブル２９は、折り畳み式のテーブルであり、天板３０が水平に延在し第２テーブル２９を使用可能な状態（以下、「使用状態」という）（図３、６、７参照）と、天板３０が背面１０の内側に沿って延在し第２テーブル２９を使用できない状態（以下、「収納状態」という）とのいずれかの状態とすることができる。すなわち、第２テーブル２９は、天板３０が水平に延在するように、天板３０を支持する支持部材３２を有する。支持部材３２は、授乳者の操作によって、天板３０を支持した状態と、支持が解除された状態とに変移させることができる。第２テーブル２９は、使用状態のときに、その椅子左方向側の端部が背面１０の内側に接した状態となる。これにより、背面１０が壁となり、第２テーブル２９に載置した物の脱落が抑制されると共に、第２テーブル２９に載置したものを背面１０に寄りかからせることができる。
【００２７】
第２テーブル２９に関し、以上の構成のため、以下の効果を奏する。すなわち、授乳者が椅子２に着座したときに、使用状態の第２テーブル２９の第２上面３１は、授乳者の上肢の椅子前方であって、授乳者の膝の上方に位置した状態となる（図８参照）。このため、授乳者は、椅子２に着座している状態で、姿勢をほとんど変えることなく、左手を伸ばすだけで、第２テーブル２９に載置した物を触ることができる。従って、授乳者は、被授乳者を膝に載せており、姿勢をほとんど変えることができない状態であっても、スムーズに第２テーブル２９に載置した物（例えば、被授乳者の口元等を拭くためのガーゼや、授乳に必要な部品等）を利用することができる。さらに、第２テーブル２９は、折り畳み式のテーブルであり、使用状態と、収納状態とのいずれかの状態とすることができる。このため、椅子２に着座していない間は、第２テーブル２９を収容状態とし、椅子２への着座、椅子２からの離席をスムーズに行えるようにし、椅子２に座っている間に、第２テーブル２９を活用することができる。
【００２８】
さらに、授乳用空間３の奥行きＬ１’が約８３センチであるのに対して、使用状態の第２テーブル２９の奥行き方向の長さは約３０センチである。従って、図７に示すように、使用状態の第２テーブル２９と、第１テーブル２４との間には、奥行き方向に間隙が形成される。このような間隙が形成される構成のため、授乳者は、この間隙に、被授乳者を抱く腕の肘を張り出すことができリラックスした状態で授乳を行うことができる。また、このような間隙がない場合と比較して、授乳者への圧迫感を緩和できる。
【００２９】
さらに、本実施形態では、椅子２に着座する授乳者にとって、椅子右方向に第１テーブル２４が存在し、椅子前方の椅子右方向寄りに第２テーブル２９が存在する状態となる。ここで、通常、授乳は、授乳者が、自身の右腕もしくは左腕で被授乳者の頭を抱え、被授乳者の頭の位置を固定した状態で行われる。授乳者が右腕で被授乳者の頭を抱える場合、基本的には右腕は他の用途に使うことができないが、左腕は、自由に使える場合がある。すなわち、哺乳瓶を用いて授乳をしているとき、または、母乳を用いて授乳をしているときに、授乳を一旦中断した場合、左腕により他の作業を行うことができる。このことは、授乳者が左腕で被授乳者の頭を抱える場合も同様である。そして、本実施形態によれば、上記構成のため、授乳者は、右腕で被授乳者の頭を抱えているときは、左腕を利用して第２テーブル２９に載置した道具を使用することができ、逆に、左腕で被授乳者の頭を抱えているときは、右腕を利用して第１テーブル２４に載置した道具を使用することができる。つまり、本実施形態によれば、授乳者は、被授乳者の頭を左腕で抱える場合も、右腕で抱える場合も、ほとんど姿勢を変えることなく、第１テーブル２４を第２テーブル２９利用してスムーズに道具を使用することができる。また、上述したように、第１テーブル２４の第１上面２５の高さと、第２テーブル２９の第２上面３１の高さとは、ほぼ同一である。従って、授乳者は、第１上面２５に載置した道具の第２上面３１への移動、および、第２上面３１に載置した道具の第１上面２５への移動をスムーズに行うことができる。
【００３０】
図３、６、７に示すように、背面１０の内側であって、椅子２の上方には、ＬＥＤの照明３４が設けられている。照明３４は、熱安定性を有するシリコン素材のケースによって覆われており、授乳者または被授乳者が接触した場合であっても安全である。
【００３１】
図４、６に示すように、仕切板２１の上部の天面６に近い位置には、人感センサー３５が設けられている。本実施形態に係る人感センサー３５は、赤外線センサーであり、授乳用ユニット１が使用されている間、定期的に、検出結果をサーバ（不図示）に送信する。本実施形態では、検出結果は、画素ごとに温度に関する情報を有する画像データであり、解像度が非常に低い画像データである。画像データは、授乳用ユニット１の不正使用の検出、および、授乳者または被授乳者の異常の検出を目的として利用される。画像データは、画素が保持する情報が温度に関する情報であり、また、解像度が非常に低いため、授乳者のプライバシーは完全に保護される。
【００３２】
図１〜６に示すように、筐体４の底面７の外側には、キャスター３６と、固定部材３７とが設けられている。キャスター３６は、筐体４の底面に、長方形の頂点を成すように、４つ設けられている。このように筐体４の底面７にキャスター３６が設けられているため、キャスター３６を利用して、地面上で授乳用ユニット１を簡易に移動させることができる。また、固定部材３７は、授乳用ユニット１の位置を固定する部材であり、所定の操作を行って、固定部材３７を所定の状態とすることにより、固定部材３７の接触部が地面に接触し、その摩擦力によって、授乳用ユニット１の移動が制限され、授乳用ユニット１の位置が固定される。
【００３３】
このように、本実施形態に係る授乳用ユニット１は、キャスター３６を利用して地面上を移動させることができると共に、固定部材３７により任意の位置に固定することができる。この構成のため、以下の効果を奏する。すなわち、従来、授乳者が授乳を行うための授乳用空間が設けられた授乳エリアを設置する場合、専用の部屋に複数の個室を設けたり、仕切板によって授乳用空間を設けていた。この場合、専用の設備が必要となると共に、綿密な設計の下、各設備を適切な位置に固定的に設ける必要があり、授乳室の設置の困難性が高かった。一方で、本実施形態によれば、所定の空間に、授乳用ユニット１を持ち込み、キャスター３６を利用して、適切な位置に授乳用ユニット１を移動させて、固定部材３７で位置を固定するという簡単な作業を行うのみで、授乳者がプライバシーが完全に保護された状態で授乳を行うことが可能な授乳用空間３を設けることができる。このため、授乳エリアの設置が非常に容易である。
【００３４】
さらに、本実施形態によれば、授乳用ユニット１は、キャスター３６を利用して地面上を移動させることができるため、授乳エリアのレイアウトの変更も容易である。授乳エリアのレイアウトの変更は、授乳エリアとなる空間における授乳用ユニット１の配置の態様の変更のみならず、授乳エリアの増設や、授乳エリアの場所の変更も含む。例えば、大型施設において、入口Ｇ１の付近に、授乳エリアを設けたていたところ、入口Ｇ２の付近にも授乳エリアを設置することとなった場合、入口Ｇ１付近の授乳エリアから、所定台数の授乳用ユニット１を入口Ｇ２の近辺の所定の空間に移動させる、という簡易な作業により、授乳エリアを増設できる。さらに、本実施形態によれば、イベント会場等の、一時的に開設される施設にも非常に容易に授乳エリアを設置することができ、また、施設の閉鎖時には、キャスター３６を利用して授乳用ユニット１を移動して撤去するという簡易な作業を行うだけで、授乳エリアを閉鎖することができる。
【００３５】
授乳用ユニット１は、例えば、以下の態様で提供され、使用される。すなわち、授乳用ユニット１は、所定の会社（以下、「提供者」という）によって、レンタルまたは販売により提供される。授乳用ユニット１を使用することを望む者は、所定の手段で提供者に、授乳用ユニット１の提供を申し込む。以下、授乳用ユニット１の提供の申し込みをした者を、「需要者」という。需要者は、個人、組織を問わない。また、以下では、需要者が組織の場合に、その組織に属する個人についても単に「需要者」と表現する。提供者は、需要者からの申し込みに応じて、所定の手段で、提供者から指定された台数の授乳用ユニット１を、提供者から指定された場所に搬入する。搬入は、完成された授乳用ユニット１を運ぶことによって行われてもよく、授乳用ユニット１を構成する部品を搬入し、現地において授乳用ユニット１を組み立てることによって行われてもよい。需要者は、授乳室を設置する空間のサイズ、形状等を踏まえ、授乳用ユニット１のそれぞれをキャスター３７を利用して所望の位置に配置する。その際、電力供給のための配線は適切に行われる。以上により、授乳室の設置が完了する。
【００３６】
需要者は、所定の手段で、表示パネル２０に、任意の映像を表示させることができる。一例として、所定のサーバに需要者が用意した動画ファイルが記憶された上で、ストリーミング再生により、表示パネル２０に映像が表示される。例えば、需要者は、授乳用ユニット１が設けられた施設に関する情報（施設の構造の案内や、施設で行われているキャンペーン、サービスの案内等）を表示パネル２０に表示させることができる。表示パネル２０に当該施設に関する情報が表示されるようにすることにより、授乳者は、授乳中、リラックスした状態で有益な情報を得ることができる。なお、動画の再生方式は、ストリーミング再生に限らず、どのような方式であってもよい。例えば、ストリーミング再生に使用される動画ファイルが適宜アップデートされる構成でもよく、また例えば、表示パネル２０の制御装置に動画ファイルが記憶され、制御装置が動画ファイルを再生する構成でもよい。また、表示パネル２０にＤＶＤ等のメディアを再生する装置が接続され、メディアが再生される方式であってもよい。
【００３７】
また、人感センサー３５の検出結果に基づいて、不正使用、または、授乳者または被授乳者の異常が検出された場合、そのことが需要者に通知される。一例として、所定のサーバが、人感センサー３５の検出結果を随時分析し、不正使用、または、授乳者または被授乳者の異常を検出した場合、需要者が管理するモニターへの表示、メール、警報、その他手段によって、需要者に通知する。このような構成のため、需要者は、不正使用、または、授乳者または被授乳者の異常が発生した場合、そのことを迅速に認識できると共に、当該認識に基づいて適切な対応をとることができる。
【００３８】
以上、本考案の一実施形態を説明したが、上記実施形態は、本考案を実施するにあたっての具体化の一例を示したものに過ぎず、これによって本考案の技術的範囲が限定的に解釈されてはならないものである。すなわち、本考案はその要旨、またはその主要な特徴から逸脱することなく、様々な形で実施することができる。
【００３９】
例えば、上述した実施形態では、出入口１４は、正面９の右側に寄った位置、具体的には、正面９の右半分の領域のほぼ全域に設けていた。この点に関し、出入口１４を正面の左側に寄った位置に設ける構成でもよい。正面の左側に寄った位置とは、例えば、正面９の左半分の領域のほぼ全域である。この場合、椅子２を、右側面１２の内側に背もたれを沿わせた状態で、筐体４の授乳用空間３の右端部に設け、また、表示パネル２０を左側面１１の内側に設けることにより、上述した実施形態と同様の効果を奏することができる。
【００４０】
また、上述した実施形態では、第１テーブル２４は、椅子２の椅子右方向に設けられていたが、第１テーブル２４を椅子２の椅子左方向に設ける構成でもよい。この場合、第２テーブル２９を椅子２の椅子前方の椅子右方向寄りに設けることにより、上述した第１実施形態と同様の効果を奏することができる。また、上述した実施形態では、第１テーブル２４の第１上面２５の先端２５ａが、椅子２の座面１６の椅子前方の先端１６ａを超えて延在する構成であったが、先端２５ａが先端１６ａを超えず、左右方向において同等の位置か、または、先端２５ａの方が少し左方向側に位置する構成でもよい。
【００４１】
また、上述した実施形態では、タッチ式操作パネル２７は、第１上面２５において、椅子２の座面１６の椅子前方側の先端１６ａに対応する位置に設けられていたが、タッチ式操作パネル２７の位置はこの位置に限られない。また、上述した実施形態では、適宜、部材の寸法を具体的な値により示したが、実施形態で示した寸法はあくまで一例であり、例示した値と異なる値であってもよいことは勿論である。また、上述した実施形態では、ドア８はスライド式のドアであったが、これを開き戸としてもよい。また、ドア８に授乳用空間側からカギをかけれるようにしてもよい。また、第２テーブル２９が設けられない構成でもよい。また、第２テーブル２９は折り畳み式のテーブルでなくてもよい。また、第２テーブル２９は、第１テーブル２４とは別に、正面９の内側（椅子２から見て、椅子右方向）に設けられる構成でもよい。すなわち、第２テーブル２９が設けられる位置は、本実施形態で例示した位置に限らず、また、第２テーブル２９は、必ずしも折り畳み式のテーブルでなくてもよい。
【符号の説明】
【００４２】
１  授乳用ユニット
２  椅子
３  授乳用空間（空間）
４  筐体
８  ドア
９  正面
１１  左側面
１２  右側面
１４  出入口
２０  表示パネル
２４  第１テーブル
２７  タッチ式操作パネル
２９  第２テーブル
３０  天板
３６  キャスター
【図１】
0003215367.tif 000003
【図２】
0003215367.tif 000004
【図３】
0003215367.tif 000005
【図４】
0003215367.tif 000006
【図５】
0003215367.tif 000007
【図６】
0003215367.tif 000008
【図７】
0003215367.tif 000009
【図８】
0003215367.tif 000010
【図９】
0003215367.tif 000011